(57)【要約】【課題】高い粘度やチクソ性を有する高粘性液状物を短時間で効率的に濾過することができる高粘性液状物の濾過方法を提供する。【解決手段】容器内に濾過用のフィルタを装着し、前記フィルタの内側に濾過前の被処理物を収容し、前記容器を傾斜させた状態で公転させて、遠心力により前記被処理物を前記フィルタにより濾過して、前記フィルタを通過した前記被処理物を前記フィルタの外側において前記容器に収容する高粘性液状物の濾過方法であって、前記フィルタは、前記容器の開口部から下垂した撓みを有する布状体である高粘性液状物の濾過方法。【選択図】なし【特許請求の範囲】
【請求項１】
容器内に濾過用のフィルタを装着し、前記フィルタの内側に濾過前の被処理物を収容し、前記容器を傾斜させた状態で公転させて、遠心力により前記被処理物を前記フィルタにより濾過して、前記フィルタを通過した前記被処理物を前記フィルタの外側において前記容器に収容する高粘性液状物の濾過方法であって、
前記フィルタは、前記容器の開口部から下垂した撓みを有する布状体である
ことを特徴とする高粘性液状物の濾過方法。
【請求項２】
濾過前の被処理物を収容した第１の容器と、濾過後の前記被処理物を収容する第２の容器とを、それぞれの開口部を向かい合わせ、かつ濾過用のフィルタにより仕切るようにして重ね、前記第１の容器を上側にし、かつ前記第１の容器及び前記第２の容器を傾斜させた状態で公転させて、遠心力により前記第１の容器内の被処理物を前記フィルタにより濾過して、前記フィルタを通過した前記被処理物を前記第２の容器に収容する高粘性液状物の濾過方法であって、
前記フィルタは、前記第２の容器の開口部から下垂した撓みを有する布状体である
ことを特徴とする高粘性液状物の濾過方法。
【請求項３】
濾過前の被処理物を収容した第１の容器と、濾過後の前記被処理物を収容する第２の容器とを、それぞれの開口部を向かい合わせ、かつ濾過用のフィルタにより仕切るようにして重ね、前記第１の容器を上側にし、かつ前記第１の容器及び前記第２の容器を傾斜させた状態で公転させながら自転させて、前記第１の容器内の被処理物を前記フィルタにより濾過して、前記フィルタを通過した前記被処理物を前記第２の容器に収容する高粘性液状物の濾過方法であって、
前記フィルタは、前記第２の容器の開口部から下垂した撓みを有する布状体である
ことを特徴とする高粘性液状物の濾過方法。
【発明の詳細な説明】
【技術分野】
【０００１】
本発明は、高い粘度やチクソ性を有する高粘性液状物を短時間で効率的に濾過することができる高粘性液状物の濾過方法に関する。
【背景技術】
【０００２】
抵抗ペーストや導電ペーストのようなチクソ指数（回転速度１ｒｐｍ時の粘度／回転速度１００ｒｐｍ時の粘度）が高く、高粘性の流動体を、メッシュの細かいフィルタにより濾過しようとしても、自然には該フィルタを通過させることができないため、濾過するためには何らかの強制的な手段を用いて、抵抗ペースト等がフィルタを通過して行くようにする必要がある。
【０００３】
従来は、例えばへら等によりしごくことによって抵抗ペースト等がフィルタを通過するようにした装置が提供されていた。しかしこの方式では、濾過効率が非常に悪く、また面倒なへら等の掃除が必要であり、更にフィルタを通過できない比較的大きな粒子も無理矢理フィルタにこすりつけてしまうので、該フィルタに傷を付けて寿命を縮めてしまうという問題があり、密閉状態での濾過ではないために、濾過時にごみ等が混入するおそれもあった。
【０００４】
これに対して、例えば、特許文献１には、容器内に濾過用のフィルタを装着し、該フィルタの内側に濾過前の被処理物を収容し、容器を傾斜させた状態で公転させて、遠心力により被処理物をフィルタにより濾過して、該フィルタを通過した被処理物を該フィルタの外側において容器に収容する方法が開示されている。この方法によれば、密閉状態の下、被処理物自体に作用する遠心力により被処理物を効率よく濾過することができる。
【０００５】
しかしながら、このような方法でも、高粘性液状物、特に高いチクソ性を有する液状物を濾過すると、濾過の完了までに長時間を要することや、フィルタに目詰まりが発生する等の不具合が生じることがあった。また、このような方法によると、液残りが生じるという問題もあった。
【特許文献１】特開２００１−３４０７０９号公報
【発明の開示】
【発明が解決しようとする課題】
【０００６】
本発明は、上記現状に鑑み、高い粘度やチクソ性を有する高粘性液状物を短時間で効率的に濾過することができる高粘性液状物の濾過方法を提供することを目的とする。
【課題を解決するための手段】
【０００７】
本発明１の高粘性液状物の濾過方法は、容器内に濾過用のフィルタを装着し、前記フィルタの内側に濾過前の被処理物を収容し、前記容器を傾斜させた状態で公転させて、遠心力により前記被処理物を前記フィルタにより濾過して、前記フィルタを通過した前記被処理物を前記フィルタの外側において前記容器に収容する高粘性液状物の濾過方法であって、前記フィルタは、前記容器の開口部から下垂した撓みを有する布状体であることを特徴とする高粘性液状物の濾過方法である。
本発明２の高粘性液状物の濾過方法は、濾過前の被処理物を収容した第１の容器と、濾過後の被処理物を収容する第２の容器とを、それぞれの開口部を向かい合わせ、かつ濾過用のフィルタにより仕切るようにして重ね、第１の容器を上側にし、かつ第１の容器及び第２の容器を傾斜させた状態で公転させて、第１の容器内の被処理物をフィルタにより濾過して、該フィルタを通過した被処理物を第２の容器に収容する高粘性液状物の濾過方法であって、該フィルタは、前記第２の容器の開口部から下垂した撓みを有する布状体である高粘性液状物の濾過方法である。
本発明３の高粘性液状物の濾過方法は、濾過前の被処理物を収容した第１の容器と、濾過後の前記被処理物を収容する第２の容器とを、それぞれの開口部を向かい合わせ、かつ濾過用のフィルタにより仕切るようにして重ね、前記第１の容器を上側にし、かつ前記第１の容器及び前記第２の容器を傾斜させた状態で公転させながら自転させて、前記第１の容器内の被処理物を前記フィルタにより濾過して、前記フィルタを通過した前記被処理物を前記第２の容器に収容する高粘性液状物の濾過方法であって、前記フィルタは、前記第２の容器の開口部から下垂した撓みを有する布状体である高粘性液状物の濾過方法である。
以下、本発明を詳述する。
【０００８】
本発明者らは、鋭意検討した結果、遠心力を利用した濾過方法であっても、濾過用のフィルタが板状であると、容器内で被処理物があまり流動せず濾過が滞ることや、フィルタの目詰まり、液残り等の不具合が生じることを見出した。
本発明者らは、更に鋭意検討した結果、撓み有する布状体をフィルタとして用いることによって、目詰まり、液残り等の不具合の発生を防止し、効率的に短時間で高いチクソ性等の高粘性を有する液状物の濾過を行うことができることを見出し、本発明を完成するに至った。
これは、被処理物とフィルタとの接触面積を大きくすることができることや、容器が公転等する際にフィルタ自身が揺動して被処理物の流動を促すことができることによるものと考えられる。
【０００９】
本発明１の高粘性液状物の濾過方法は、容器内に濾過用のフィルタを装着し、前記フィルタの内側に濾過前の被処理物を収容し、前記容器を傾斜させた状態で公転させて、遠心力により前記被処理物を前記フィルタにより濾過して、前記フィルタを通過した前記被処理物を前記フィルタの外側において前記容器に収容する高粘性液状物の濾過方法であって、前記フィルタは、前記容器の開口部から下垂した撓みを有する布状体であることを特徴とする高粘性液状物の濾過方法である。
このように、被処理物自体に遠心力を作用させ、該遠心力により被処理物が傾斜状態のフィルタにより効率よく濾過されることから、へら等によりフィルタを傷めることなく被処理物を高い効率で濾過できる。また、撓み有する布状体をフィルタとして用いることによって、被処理物とフィルタとの接触面積を大きくすることができ、容器が公転等する際にフィルタ自身が揺動して被処理物の流動を促すことができることから、フィルタの目詰まりや容器内の液残りを防止し、被処理物を極めて高い効率で濾過することができる。
【００１０】
本発明２の高粘性液状物の濾過方法は、濾過前の被処理物を収容した第１の容器と、濾過後の被処理物を収容する第２の容器とを、それぞれの開口部を向かい合わせ、かつ濾過用のフィルタにより仕切るようにして重ね、第１の容器を上側にし、かつ第１の容器及び第２の容器を傾斜させた状態で公転させて、第１の容器内の被処理物をフィルタにより濾過して、該フィルタを通過した被処理物を第２の容器に収容する高粘性液状物の濾過方法であって、該フィルタは、前記第２の容器の開口部から下垂した撓みを有する布状体である高粘性液状物の濾過方法である。
このように、被処理物自体に遠心力を作用させ、該遠心力により被処理物が傾斜状態のフィルタにより効率よく濾過されることによって、へら等によりフィルタを傷めることなく被処理物を高い効率で濾過できる。また、本発明１の高粘性液状物の濾過方法と同様に、撓み有する布状体をフィルタとして用いることによって、フィルタの目詰まりや容器内の液残りを防止し、被処理物を極めて高い効率で濾過することができる。
【００１１】
本発明３の高粘性液状物の濾過方法は、濾過前の被処理物を収容した第１の容器と、濾過後の前記被処理物を収容する第２の容器とを、それぞれの開口部を向かい合わせ、かつ濾過用のフィルタにより仕切るようにして重ね、前記第１の容器を上側にし、かつ前記第１の容器及び前記第２の容器を傾斜させた状態で公転させながら自転させて、前記第１の容器内の被処理物を前記フィルタにより濾過して、前記フィルタを通過した前記被処理物を前記第２の容器に収容する高粘性液状物の濾過方法であって、前記フィルタは、前記第２の容器の開口部から下垂した撓みを有する布状体である高粘性液状物の濾過方法である。
このように、第１の容器及び第２の容器を傾斜させた状態で公転させながら自転させて濾過することにより、フィルタを通過する前の被処理物に対して、遠心力だけでなく複雑な加速度によるせん断力を作用させて、被処理物が常に攪拌されながら非常に効率よく濾過されるようにすることであり、また、これによって濾過に要する時間を大幅に短縮することができる。また、本発明１の高粘性液状物の濾過方法と同様に、撓み有する布状体をフィルタとして用いることによって、フィルタの目詰まりや容器内の液残りを防止し、被処理物を極めて高い効率で濾過することができる。
【００１２】
上記フィルタは、撓みを有する布状体である。
本発明１、２又は３の高粘性液状物の濾過方法において、上記フィルタが撓みを有する布状体であることによって、被処理物とフィルタとの接触面積を大きくすることができ、容器が公転等する際にフィルタ自身が揺動して被処理物の流動を促すことができることから、フィルタの目詰まりや容器内の液残りを防止し、被処理物を極めて高い効率で濾過することができる。
なお、本明細書において、撓みとは、カップ断面積よりも、フィルタと被処理物との接触面積の方が大きいこと、すなわち、布状体であるフィルタの開口部の面積よりも、被処理物が接触しうるフィルタの布状部の面積の方が大きいことをいう。具体的には、カップ断面積に対するフィルタと被処理物との接触面積の倍率、すなわち、フィルタの開口部の面積に対するフィルタの布状部の面積の倍率は、好ましい下限が１．３倍、好ましい上限が５倍である。
【００１３】
上記フィルタを構成する素材としては特に限定されず、例えば、ポリエステル、ナイロン、ポリプロピレン、テフロン（登録商標）等の樹脂、ステンレス等の金属類、カーボン等が挙げられる。
【００１４】
上記フィルタは、メッシュの開口径の大きさの好ましい下限が１ｕｍ、好ましい上限が５００ｕｍである。１ｕｍ未満であると、濾過時に目詰まり等を生じることがある。５００ｕｍを超えると、被処理物を充分に濾過することができないことがある。
【００１５】
本発明１、２又は３の高粘性液状物の濾過方法を用いるための濾過装置としては、例えば、撓みを有する布状体である濾過用のフィルタにより内部を仕切られた容器を収容固定する容器ホルダと、該容器ホルダを軸支し自らの回転によって該容器ホルダを公転させるアームとを備え、該容器内の該フィルタの内側に濾過前の被処理物を入れて該容器を傾斜させた状態で公転させて、遠心力により該被処理物を該フィルタにより濾過して、該フィルタを通過した該被処理物を該フィルタの外側において該容器に収容するように構成した濾過装置が挙げられる。
このような濾過装置を用いることによって、遠心力により混合を行う混合用の装置を利用して、高粘性液状物のような被処理物をフィルタにより濾過できる。
【００１６】
本発明２又は３の高粘性液状物の濾過方法を用いるための濾過装置としては、濾過前の被処理物を収容する第１の容器と濾過後の該被処理物を収容する第２の容器とをそれぞれの開口部を向かい合わせ、かつ、撓みを有する布状体である濾過用のフィルタにより該第１の容器と該第２の容器とを仕切るようにして重ねた状態で収容固定する容器ホルダと、該容器ホルダを軸支し自らの回転によって該容器ホルダを公転させるアームと、該アームを回転させると共に該容器ホルダを公転及び自転させる遊星歯車駆動機構とを備え、該第１の容器を上側にし、かつ該第１の容器及び該第２の容器を傾斜させた状態で公転させながら自転させて、該第１の容器内の被処理物を該フィルタにより濾過して、該フィルタを通過した該被処理物を該第２の容器に収容するように構成した濾過装置等が挙げられる。
このような濾過装置を用いることによって、混合用の装置を利用して、高粘性液状物のような被処理物をメッシュの細かいフィルタにより非常に高い効率で濾過できるようにすることであり、またこれによって混合用の装置の商品価値をより一層高めることができる。
【００１７】
本発明２又は３の高粘性液状物の濾過方法に用いる濾過用アダプタとしては、例えば、それぞれの開口部が互いに向かい合うようにした第１の容器及び第２の容器の間に取り付けて用いられ、該第１の容器又は第２の容器の取付けにより固定される濾過用のフィルタにより該第１の容器及び該第２の容器を仕切るように構成した濾過用アダプタが挙げられる。
このような濾過用アダプタを用いることによって、専用の容器を用いなくても、市販の容器を２個１組として用いて、高粘性液状物の濾過が密閉状態で可能となる。
【００１８】
また、本発明２又は３の高粘性液状物の濾過方法に用いる濾過用アダプタとしては、例えば、第１の容器及び第２の容器をそれぞれの開口部が互いに向かい合うようにして固定する取付けリングと、該取付けリングの内側に係止されるようにフランジが形成されると共に外周面にねじ部が形成された筒部材と、該筒部材の該ねじ部に螺合するナットと、該ナットの締付けにより該筒部材との間に挾まれ固定される濾過用のフィルタとを備えた濾過用アダプタ等が挙げられる。
このような濾過用アダプタを用いることによって、第１の容器及び第２の容器を傾斜させた状態で遠心力を作用させて濾過する場合に、その回転半径を大きくしてより大きな遠心力が被処理物である高粘性液状物に作用することができるため、濾過性能を大幅に向上させることが可能となる。
【００１９】
図１及び図２に、本発明１の高粘性液状物の濾過方法に係る実施態様の一例を模式図として示す。
図１は、本発明１の高粘性液状物の濾過方法に用いるフィルタの斜視図である。
図２は、本発明１の高粘性液状物の濾過方法に用いる濾過用アダプタの縦断面図である。図２において、高粘性液状物の濾過用アダプタ（以下単に「濾過用アダプタ」ともいう。）１は、フィルタ２を備えている。
【００２０】
フィルタ２は、図１及び図２に示すように、容器１３の蓋１４に垂下して取り付けられ、該蓋１４を閉じた際に容器１３中に収容されている。
【００２１】
フィルタ２は、撓みを有する布状体であって、縦横それぞれ１インチ当たり所定範囲のメッシュを有するスクリーンからなり、ポリエステル製のものやステンレス製のものを用いることができる。メッシュの大きさは用途に応じて任意に選択するようになっている。
【００２２】
濾過用アダプタ１の使用状態においては、図２に示すように、容器１３は傾斜した容器ホルダ１５内に取り付けられており、フィルタ２は蓋１４、すなわち容器１３の開口部から垂下するように取り付けられている。
【００２３】
蓋１４は、フィルタ２が容器１３内に入るように容器１３に被せられ、押え金具３７及び止め金具３４により容器１３を密封するように固定されている。
【００２４】
濾過用アダプタ１の取付けは、図２に示すように、フィルタ２の内側に濾過前の被処理物６を入れてから該フィルタ２を蓋１４に取り付ければよい。
【００２５】
濾過用アダプタ１が取り付けられた蓋１４を、容器ホルダ１５に取り付けておいた容器１３に被せ、押え金具３７及び止め金具３４により固定すると、容器１３が密封され、該容器１３内にフィルタ２が収まった状態となり、該フィルタ２内に濾過前の被処理物６が収容された状態となる。
【００２６】
そして容器ホルダ１５を傾斜状態のまま、図示しない回転軸を中心に公転させると、被処理物６に公転による遠心力がそれぞれ作用し、該力により被処理物６がフィルタ２の濾過穴２ｃを通過する。底面２ｂを通過した被処理物６は、そのまま容器１３に収容される。
【００２７】
濾過は密閉状態で行われるので、濾過中に異物が混入することはない。また被処理物６のうちフィルタ２を通過できないものは、該フィルタ２内に残留するので、フィルタ２と共に蓋１４を容器１３から取り外せば、濾過後の被処理物６のみを得ることができる。
【００２８】
なお、ここでは、容器ホルダ１５を公転させることとしたが、これに限るものではなく、公転させながら自転させるようにしてもよく、自公転させることにより濾過効率を高めることが可能である。
【００２９】
図３及び図４に、本発明２又は３の高粘性液状物の濾過方法に係る実施態様の一例を模式図として示す。
図３は、第１の容器、第２の容器、濾過用アダプタ及びそのフィルタの分解斜視図である。
図４は、濾過用アダプタに、被処理物を入れた第１の容器と、第２の容器とを取り付けて、傾斜させた状態で回転させ、遠心力を被処理物に作用させてフィルタにより濾過する状態を示す縦断面図である。
図３において、濾過用アダプタ１０は、それぞれの開口部１１ａ，１２ａが互いに向かい合うようにした第１の容器１１及び第２の容器１２の間に取り付けて用いられ、第１の容器１１又は第２の容器１２の取付けにより固定される濾過用のフィルタ４により第１の容器１１及び第２の容器１２を仕切るように構成されている。
【００３０】
第１の容器１１及び第２の容器１２は、合成樹脂製の市販の円筒形容器であり、開口部１１ａ，１２ａの外周には、ねじ部１１ｂ，１２ｂがそれぞれ形成されている。
【００３１】
フィルタ４は、撓みを有する布状体であって、縦横それぞれ１インチ当たり所定範囲のメッシュを有するメッシュのスクリーンからなり、ポリエステル製のものやステンレス製のものを用いることができる。メッシュの大きさは用途に応じて任意に選択するようになっている。なお、フィルタ４には、取扱いを容易にするために、円環状のリング５が取り付けられている。
【００３２】
濾過用アダプタ１０は、長さの短い円筒形状に形成され、内周には第１の容器１１及び第２の容器１２のねじ部１１ｂ，１２ｂがそれぞれ螺合するための雌ねじ１０ａ，１０ｂがそれぞれ形成され、その間にはつば状の小径部１０ｃが、例えば二重にかつ一体的に形成されている。フィルタ４は、該小径部１０ｃと第１の容器１１又は第２の容器１２の間に挾み込まれて固定されるようになっている。
【００３３】
濾過用アダプタ１０の外周面１０ｄは、例えば、断面多角形に形成されている。これは、第１の容器１１や第２の容器１２の取付け及び取外しの際の作業性を向上させるためである。
【００３４】
図３及び図４に示すように、濾過用アダプタ１０の小径部１０ｃにフィルタ４を載置し、被処理物６を入れた第１の容器１１を雌ねじ１０ａに、第２の容器１２を雌ねじ１０ｂにそれぞれ取り付けると、フィルタ４は第１の容器１１と小径部１０ｃとの間に挾み込まれて固定される。
【００３５】
第１の容器１１を上側にし、垂直から例えば４０°傾斜させた状態で、該容器１１等を矢印Ａ方向に公転させながら、矢印Ｂ方向に自転させると、被処理物６に公転による遠心力及び自転によるせん断力がそれぞれ作用し、該力により被処理物６がフィルタ４を通過することで濾過され、濾過後の被処理物６は第２の容器１２に収容される。濾過は密閉状態で行われるので、濾過中に異物が混入することはない。また被処理物６のうちフィルタ４を通過できないものは、第１の容器１１内に残留するので、第２の容器１２のみを濾過用アダプタ１０から取り外せば、濾過後の被処理物６のみを得ることができる。
【００３６】
図５及び図６に、本発明２又は３の高粘性液状物の濾過方法に係る実施態様の一例を模式図として示す。
図５は、本発明２又は３の高粘性液状物の濾過方法に用いる第１の容器、第２の容器及び濾過用アダプタ及びそのフィルタの分解斜視図である。図６は、本発明２又は３の高粘性液状物の濾過方法において、濾過用アダプタに、被処理物を入れた第１の容器と、第２の容器とを取り付けて、傾斜させた状態で回転させ、遠心力を被処理物に作用させてフィルタにより濾過する状態を示す縦断面図である。
図５において、濾過用アダプタ２０は、取付けリング２１と、筒部材２２と、ナット２３と、フィルタ２４とを備えている。
【００３７】
取付けリング２１は、第１の容器１１及び第２の容器１２をそれぞれの開口部１１ａ，１２ａが互いに向かい合うようにして固定するためのものであって、長さの短い円筒形状に形成され、内周には第１の容器１１及び第２の容器１２のねじ部１１ｂ，１２ｂがそれぞれ螺合するための雌ねじ２１ａ，２１ｂがそれぞれ形成され、その間にはつば状の小径部２１ｃが二重にかつ一体的に形成されている。
【００３８】
取付けリング２１の外周面２１ｄは、例えば、断面多角形に形成されている。これは、第１の容器１１や第２の容器１２の取付け及び取外しの際の作業性を向上させるためである。
【００３９】
筒部材２２は、取付けリング２１の内側に係止されるようにフランジ２２ａが形成されると共に、外周面２２ｂにねじ部２２ｃが形成された、例えば合成樹脂を円筒形に形成してなるものであって、図５に示すように、上端２２ｄにフランジ２２ａが形成され、下端２２ｅの外周面２２ｂにねじ部２２ｃが形成されている。
【００４０】
フランジ部２２ａを除く筒部材２２の外径は、取付けリング２１の小径部２１ｃよりも小さく形成されており、筒部材２２を取付けリング２１に差し込むことができるようになっている。フランジ２２ａは小径部２１ｃよりも直径が大きいので、該小径部２１ｃによって係止されるようになっており、またこの状態で取付けリング２１に対して、例えば第１の容器１１をフランジ２２ａ側から取り付けると、フランジ２２ａは、該第１の容器１１及び小径部２１ｃにより挾み込まれて固定されるようになっている。
【００４１】
ナット２３は、筒部材２２のねじ部２２ｃに螺合するものであって、例えば合成樹脂の一体成形により製作されている。ナット２３の下端２３ａは、小径に形成され、外周面２３ｂは、取付けリング２１と同様に、断面多角形に形成されている。なお、ナット２３は、軸方向に貫通した状態に形成されている。これは、図６に示すように、濾過された被処理物６が通過できるようにするためである。
【００４２】
フィルタ２４は、ナット２３の締付けにより、筒部材２２との間に挾まれ固定されるものであって、上記フィルタ４と実質的に同じものを用いることができる。フィルタ２４を、取扱いを容易にするために、円環状のリング２５が取り付けられている点は図１又は図２と同様である。
【００４３】
フィルタ２４をナット２３により筒部材２２の下端２２ｅに取り付ける際には、フィルタ２４の保護のために、ナット２３とフィルタ２４との間にワッシャ２６を入れるようになっている。
【００４４】
図５及び図６に示すように、フィルタ２４をワッシャ２６及びナット２３により筒部材２２の下端２２ｅに取り付けた状態で、筒部材２２を取付けリング２１の上側から差し込み、フランジ２２ａを取付けリング２１の小径部２１ｃに掛け、被処理物６を入れた第１の容器１１を雌ねじ２１ａに、第２の容器１２を雌ねじ２１ｂにそれぞれ取り付ける。この状態で筒部２２の大部分は、第２の容器１２内に入り込んだ状態となっている。
【００４５】
第１の容器１１を上側にし、垂直から例えば４０°傾斜させた状態で、該容器１１等を矢印Ａ方向に公転させながら、矢印Ｂ方向に自転させると、被処理物６に公転による遠心力及び自転によるせん断力が作用し、該力により被処理物６がフィルタ２４を通過することで濾過され、濾過後の被処理物６は第２の容器１２に収容される。被処理物６のうちフィルタ２４を通過できないものは、第１の容器１１内に残留するので、第２の容器１２のみを濾過用アダプタ２０から取り外せば、濾過後の被処理物６のみを得ることができる。
【００４６】
図５及び図６の場合、フィルタ２４が第２の容器１２内に入り込んでいることから、被処理物６の公転半径が図３及び４の場合よりも大きくなる。これによって、より大きな遠心力が被処理物６に作用するので、被処理物６がフィルタ２４を通過し易くなり、高い濾過性能が得られる。
【００４７】
図７及び８に、本発明１、２又は３の高粘性液状物の濾過方法を実施するための濾過装置の実施態様の一例を模式図として示す。
図７は、本発明１、２又は３の高粘性液状物の濾過方法を実施するための濾過装置の斜視図である。図８は、本発明１、２又は３の高粘性液状物の濾過方法を実施するための濾過装置の機構を示す部分縦断面側面図である。
図７及び図８において、高粘性液状物の濾過装置３０は、容器ホルダ３１と、アーム３２と、遊星歯車駆動機構３３とを備えている。
【００４８】
容器ホルダ３１は、濾過前の被処理物６を収容した第１の容器１１と濾過後の被処理物６を収容する第２の容器１２とをそれぞれの開口部１１ａ，１２ａを向かい合わせ、かつ濾過用のフィルタ２４により第１の容器１１と第２の容器１２とを仕切るようにして重ねた状態で収容固定するためのものであって、組み合わされた第１の容器１１、第２の容器１２及び濾過用アダプタ２０がちょうど収まる程度の内径を持った筒部３１ａの下面３１ｂに自転軸３１ｃを取り付けて構成されている。
【００４９】
また筒部３１ａの外周面３１ｄには、押え金具３７を固定するための止め金具３４が例えば一対取り付けられている。
【００５０】
押え金具３７は、第１の容器１１の底面１１ｃに係合し、組み合わされた該第１の容器１１、第２の容器１２及び濾過用アダプタ２０を筒部３１ａ内に固定するためのものであって、金属板を折り曲げて第１折返し部３７ａ及び第２折返し部３７ｂを形成したものである。第２折返し部３７ｂに一対の止め金具３４のリング３４ａがそれぞれ掛けられるようになっている。
【００５１】
アーム３２は、容器ホルダ３１を軸支し、自らの回転によって該容器ホルダ３１を公転させるためのものであって、軽量で慣性モーメントの小さな例えばアルミニウムにより製作されている。アーム３２の長手方向の中央の下面には軸３２ａが取り付けられており、また該軸３２ａから等距離の例えば２箇所に、遊星歯車３５がそれぞれ回動自在に取り付けられている。
【００５２】
アーム３２の両方の端部３２ｂの上側には、例えば４０°傾斜した斜板３２ｃが固定され、下側にはアーム３２と平行な水平板３２ｄが固定されている。
【００５３】
斜板３２ｃには、容器ホルダ３１の自転軸３１ｃを軸支する軸ケース３６が固定されている。容器ホルダ３１の自転軸３１ｃは、軸ケース３６により垂直から例えば４０°傾斜した状態で回動自在に軸支されている。
【００５４】
水平板３２ｄには、軸ケース３８が固定され、該軸ケース３８に軸３９が垂直に軸支されている。また軸３９には、遊星歯車３５の軸３５ａに取り付けられたプーリ３５ｂの回転をベルト４０を介して伝えるためのプーリ３９ａが取り付けられている。
【００５５】
遊星歯車３５の自転に伴って回転駆動される垂直な軸３９と、容器ホルダ３１の傾斜した自転軸３１ｃとは、例えば２つの自在継手４１を直列に用いて連結されている。自在継手４１の性質により、その取付け方によっては容器ホルダ３１を不等速自転させることも可能である。
【００５６】
遊星歯車駆動機構３３は、アーム３２を回転させると共に容器ホルダ３１を公転及び自転させるためのものであって、アーム３２と同軸になるように軸ケース４２に固定された太陽歯車４３と、アーム３２の回転によって太陽歯車４３のまわりをかみ合い接触しながら公転する遊星歯車３５とで構成されている。
【００５７】
軸３２ｂには、図７及び図８に示すように、ドグ板３２ｆが取り付けられており、センサ（図示せず）によりアーム３２の回転速度が測定でき、該回転速度が操作盤８の回転速度表示器８ａに表示されるようになっている。
【００５８】
なお、軸ケース４２は、ベース４４に垂直に固定されており、プーリ４５ａ、ベルト４６及びプーリ３２ｅを介してアーム３２を回転させるためのモータ４５もベース４４に取り付けられている。
【００５９】
遊星歯車３５の材質には、例えばエンジニアリングプラスチックを用いており、これは潤滑剤であるグリース等の塗布を不要にして、図７に示す攪拌槽４８内の汚染を防止するためである。
【００６０】
遊星歯車駆動機構３３のすべての歯車３５，４３とモータ４５は、図８に示すように、アーム３２の下側に配置されており、潤滑油等の異物が容器ホルダ３１及び攪拌槽４８内に飛散せず、また重心が低く安定した運転が可能となっている。
【００６１】
高粘性液状物の濾過装置３０の筐体である本体５０は、図７に示すように、例えば板金加工により製作されている。該本体５０内に攪拌槽４８と、容器ホルダ３１と、アーム３２と、遊星歯車駆動機構３３と、モータ４５等が収納されている。
【００６２】
本体５０の上面５０ａには、被処理物６を入れた第１の容器１１、そして該容器１１と組み合わされた濾過用アダプタ２０及び第２の容器１２を攪拌槽４８内の容器ホルダ３１に取付け又は取外しするための開口部５０ｂが円形に形成されており、該開口部５０ｂの直径は、攪拌槽４８の内径よりもやや小さくなっている。開口部５０ｂを円形としたのは、高粘性液状物の濾過装置３０の停止時に容器ホルダ３１がいかなる位置に停止していても、第１の容器１１等の取付け及び取外しを容易に行うことができるようにするためである。
【００６３】
本体５０には、高粘性液状物の濾過装置３０の運転時に安全のため開口部５０ｂを覆うカバー５１が、例えば３個の蝶番５２を介して取り付けられている。該カバー５１には把手５１ａが取り付けられ、下面５１ｂにはカバー５１が閉じていることを検知して高粘性液状物の濾過装置３０を運転可能な状態に切り替えるセンサ（図示せず）のための、例えば２個のドグ５１ｃと、カバー５１が不用意に開くことを防止するためのフック５１ｄとが取り付けられている。
【００６４】
本体５０の上面５０ａには、フック５１ｄが貫通する貫通穴５０ｃと、ドグ５１ｃの差込み穴５０ｄが形成されている。
【００６５】
操作盤８は、高粘性液状物の濾過装置３０の操作に必要なスイッチや表示器等を整列状態で配設したものであって、本体５０に取り付けられている。スイッチ類としてはスタートボタン８ｃと、ストップボタン８ｄと、回転速度設定ダイヤル８ｅと、運転時間設定用のタイマ８ｆと、非常停止ボタン８ｇとが配設され、表示器類としては運転ランプ８ｈと、回転異常ランプ８ｉと、バランス異常ランプ８ｊと、回転速度表示器８ａとが配設され、その他異常が生じた場合に鳴るブザー８ｂが配設されている。
【００６６】
図７及び図８において、被処理物６を第１の容器１１に入れ、第２の容器１２と共に、濾過用アダプタ２０に取り付けてから、第１の容器１１を上にして容器ホルダ３１に取り付け、押え金具３７と止め金具３４によってしっかりと固定し、カバー５１を閉じる。
【００６７】
電源を入れた後スタートボタン８ｃを押せば、カバー５１が閉じた状態であることをセンサ（図示せず）が検知し、カバー５１のフック５１ｄがロックされて運転が開始される。運転はタイマ８ｆにより設定した時間だけ行われる。
【００６８】
運転が開始されると、モータ４５が矢印Ａ方向に回転し、ベルト４６によってその回転がアーム３２の軸３２ａに伝わり、該アーム３２が矢印Ａ方向に回転する。アーム３２が回転することにより、容器ホルダ３１も矢印Ａ方向に公転する。このとき遊星歯車３５が太陽歯車４３のまわりをかみ合い接触しながら公転すると共に自転し、この回転がベルト４０を介して軸３８に伝わり、該軸３８を回転させる。
【００６９】
軸３８の回転は自在継手４１を伝わり、容器ホルダ３１を矢印Ｂ方向に自転させるので、被処理物６は、公転による公転半径方向の加速度（遠心力）、公転と自転によるコリオリの加速度、不等速自転による加速度等を受け、更に傾斜状態での自公転によりせん断力を受けて混合されながら、フィルタ２４により濾過され、濾過された被処理物６は第２の容器１２に収納される。
【００７０】
濾過のためにへら等を用いないため、フィルタ２４を傷めることがなく、該フィルタ２４を長持ちさせることが可能である。
【００７１】
なお、アーム３２の公転の回転速度は、ドグ板３２ｆ及びセンサ（図示せず）により常に計測され、回転速度表示器８ａに表示されるので、該回転速度表示器８ａを見ながら回転速度設定ダイヤル８ｅを回して、常用回転速度である６００乃至７００ｒｐｍに合わせる。容器ホルダ３１の自転の回転速度は、アーム３２の回転速度の、例えば１／３である。
【００７２】
図９に、本発明１又は２の高粘性液状物の濾過方法を実施するための濾過装置の一例を模式図として示す。
図９は、本発明１又は２の高粘性液状物の濾過方法を実施するための濾過装置の機構を示す側面図である。
図９に示すように、高粘性液状物の濾過装置５４は、図８に示す高粘性液状物の濾過装置３０から容器ホルダ３１を自転させるための遊星歯車駆動機構３３を取り除いたものである。
【００７３】
図９においては、容器ホルダ３１を１つにした場合でも動バランスを取ることができるように、アーム３２上の固定軸５５にバランサ５６をねじ５８により取り付けるようになっている。固定軸５５は、軸３２ａを中心として容器ホルダ３１の対称となる位置に取り付けられている。
【００７４】
その他の部分は、図８に示した濾過装置と同様であるので、同一の部分には図面に同一の符号を付して、その説明を省略する。
【００７５】
次に、高粘性液状物の濾過装置５４の作用について説明すると、図９において、図８における高粘性液状物の濾過装置３０と同様に、被処理物６を入れた第１の容器１１と、第２の容器１２と、濾過用アダプタ２０を組み合わせて、容器ホルダ３１に取り付け、押え金具３７と止め金具３４によってしっかりと固定する。固定軸５５には、第１の容器１１等及び被処理物６の重量に応じたバランサ５６を取り付ける。
【００７６】
モータ４５を回転させると、図８と同様に、アーム３２が矢印Ａ方向に回転し、これによって容器ホルダ３１も矢印Ａ方向に公転して、遠心力のみによって被処理物６がフィルタ２４により濾過される。
【００７７】
高粘性液状物の濾過装置５４においては、容器ホルダ３１が１個であるので、被処理物６の量が少ない場合に有用であり、被処理物６の量が多い場合には、固定軸５５を容器ホルダ３１に取り替えることも可能である。
【００７８】
なお、上記の説明は、高粘性液状物の濾過は大気圧中で行うことを前提として行ったが、これは大気圧中に限定されるものではなく、装置の全部又は一部を密閉して真空中又は真空に近い減圧中で濾過を行ってもよいことは勿論である。またこのような減圧雰囲気で高粘性液状物の濾過を行うことは、高粘性液状物中の脱包効果が大きくなり、高粘性液状物の密度が大きくなるので、大気圧中で濾過するよりも大きな濾過効率を得ることができる。
【００７９】
図１又は２を用いて本発明１の高粘性液状物の濾過方法を説明すると、本発明１の高粘性液状物の濾過方法は、容器１３内に濾過用のフィルタ２を装着し、該フィルタ２の内側に濾過前の被処理物６を収容し、容器１３を傾斜させた状態で公転させて、遠心力により被処理物６をフィルタ２により濾過して、該フィルタ２を通過した被処理物６を該フィルタ２の外側において容器１３に収容する方法である。
【００８０】
図３〜６を用いて本発明２の高粘性液状物の濾過方法を説明すると、本発明２の高粘性液状物の濾過方法は、濾過前の被処理物６を収容した第１の容器１１と、濾過後の被処理物６を収容する第２の容器１２とを、それぞれの開口部１１ａ，１２ａを向かい合わせ、かつ濾過用のフィルタ４により仕切るようにして重ね、第１の容器１１を上側にし、かつ第１の容器１１及び第２の容器１２を傾斜させた状態で公転させて、第１の容器１１内の被処理物６をフィルタ４により濾過して、該フィルタ４を通過した被処理物６を第２の容器１２に収容する方法である。
【００８１】
図３〜６を用いて本発明３の高粘性液状物の濾過方法を説明すると、本発明３の高粘性液状物の濾過方法は、濾過前の被処理物６を収容した第１の容器１１と、濾過後の被処理物６を収容する第２の容器１２とを、それぞれの開口部１１ａ，１２ａを向かい合わせ、かつ濾過用のフィルタ４により仕切るようにして重ね、第１の容器１１を上側にし、かつ第１の容器１１及び第２の容器１２を傾斜させた状態で公転させながら自転させて、第１の容器１１内の被処理物６をフィルタ４により濾過して、該フィルタ４を通過した被処理物６を第２の容器１２に収容する方法である。
【発明の効果】
【００８２】
本発明によれば、フィルタとして撓みを有する布状体を用いているため、被処理物とフィルタとの接触面積を大きくすることができ、容器が公転等する際にフィルタ自身が揺動して被処理物の流動を促すことが可能となる。そのため、極めて効率的に短時間で高チクソ性を有する液状物の濾過を行うことができる高粘性液状物の濾過方法を提供できる。
【発明を実施するための最良の形態】
【００８３】
以下に実施例を掲げて本発明を更に詳しく説明するが、本発明はこれらの実施例のみに限定されるものではない。
【００８４】
（実施例１）
図１、２及び９に示す本発明１の高粘性液状物の濾過方法を実施するための濾過装置を用いて、被処理物としてダイアタッチペースト（以下、ペーストという。）の濾過を行った結果を図１０に示す。該ペーストは、粘度が２５℃で１０Ｐａ・ｓ、チクソ指数が６のものを用いている。
【００８５】
図１０は、容量４００ｇの容器１３を用い、容器１３中のフィルタに１００ｇのペーストを入れ、フィルタには開口径１０μｍのメッシュを持ち、フィルタと液状物の接触面積がカップの断面積の３倍、すなわち、フィルタの開口部の面積に対するフィルタの布状部の面積の倍率が３倍の撓みを有する布状体であるフィルタを用い、容器ホルダの公転速度を７５０ｒｐｍとして濾過を行った場合の結果について示しており、図１０の○は、横軸を時間（分）とし、縦軸を、フィルタを通過したペーストの割合、即ち通過率（重量％）として示している。
【００８６】
また、ペーストの粒径をつぶゲージを用いて測定したところ、濾過前１５μｍ以下だったものが、濾過後には９μｍ以下となった。これは大きな粒径のペーストを濾過により確実に除去することができたことを示している。
【００８７】
（実施例２）
図３、４及び９に示す本発明２の高粘性液状物の濾過方法を実施するための濾過装置を用いて、被処理物としてダイアタッチペースト（以下、ペーストという。）の濾過を行った結果を図１１に示す。該ペーストは、粘度が２５℃で１０Ｐａ・ｓ、チクソ指数が６のものを用いている。
【００８８】
図１１は、容量１５０ｇの第１の容器１１及び第２の容器１２を用い、該第１の容器１１に１００ｇのペーストを入れ、フィルタには開口径１０μｍのメッシュを持ち、フィルタと液状物の接触面積がカップの断面積の３倍、すなわち、フィルタの開口部の面積に対するフィルタの布状部の面積の倍率が３倍の撓みを有する布状体であるフィルタを用い、容器ホルダの公転速度を７５０ｒｐｍとして濾過を行った場合の結果について示しており、図１１の○は、横軸を時間（分）とし、縦軸を、フィルタを通過したペーストの割合、即ち通過率（重量％）として示している。
【００８９】
また、ペーストの粒径をつぶゲージを用いて測定したところ、濾過前１５μｍ以下だったものが、濾過後には９μｍ以下となった。これは大きな粒径のペーストを濾過により確実に除去することができたことを示している。
【００９０】
（実施例３）
図３、４及び８に示す本発明３の高粘性液状物の濾過方法を実施するための濾過装置を用いて、被処理物としてダイアタッチペースト（以下、ペーストという。）の濾過を行った結果を図１２に示す。該ペーストは、粘度が２５℃で１０Ｐａ・ｓ、チクソ指数が６のものを用いている。
【００９１】
図１２は、容量１５０ｇの第１の容器１１及び第２の容器１２を用い、該第１の容器１１に１００ｇのペーストを入れ、フィルタには開口径１０μｍのメッシュを持ち、フィルタと液状物の接触面積がカップの断面積の３倍、すなわち、フィルタの開口部の面積に対するフィルタの布状部の面積の倍率が３倍の撓みを有する布状体であるフィルタを用い、容器ホルダの公転速度を７５０ｒｐｍ、自転速度を公転速度の０．７５倍として濾過を行った場合の結果について示しており、図１２の○は、横軸を時間（分）とし、縦軸を、フィルタを通過したペーストの割合、即ち通過率（重量％）として示している。
【００９２】
また、ペーストの粒径をつぶゲージを用いて測定したところ、濾過前１５μｍ以下だったものが、濾過後には９μｍ以下となった。これは大きな粒径のペーストを濾過により確実に除去することができたことを示している。
【００９３】
（比較例１）
フィルタとして、開口径１０μｍのポリエステル製メンブレムメッシュの板状体を用いたこと以外は、実施例２と同様にしてペーストの濾過を行った。
結果を図１１に●で示す。
【００９４】
（比較例２）
フィルタとして、開口径１０μｍのポリエステル製メンブレムメッシュの板状体を用いたこと以外は実施例３と同様にしてペーストの濾過を行った。
結果を図１２に●で示す。
【産業上の利用可能性】
【００９５】
本発明によれば、高い粘度やチクソ性を有する高粘性液状物を短時間で効率的に濾過することができる高粘性液状物の濾過方法を提供することができる。
【図面の簡単な説明】
【００９６】
【図１】本発明１の高粘性液状物の濾過方法に用いるフィルタの斜視図である。
【図２】本発明１の高粘性液状物の濾過方法に用いる濾過用アダプタの縦断面図である。
【図３】本発明２又は３の高粘性液状物の濾過方法に用いる第１の容器、第２の容器、濾過用アダプタ及びそのフィルタの分解斜視図である。
【図４】本発明２又は３の高粘性液状物の濾過方法において、濾過用アダプタに、被処理物を入れた第１の容器と、第２の容器とを取り付けて、傾斜させた状態で回転させ、遠心力を被処理物に作用させてフィルタにより濾過する状態を示す縦断面図である。
【図５】本発明２又は３の高粘性液状物の濾過方法に用いる第１の容器、第２の容器及び濾過用アダプタ及びそのフィルタの分解斜視図である。
【図６】本発明２又は３の高粘性液状物の濾過方法において、濾過用アダプタに、被処理物を入れた第１の容器と、第２の容器とを取り付けて、傾斜させた状態で回転させ、遠心力を被処理物に作用させてフィルタにより濾過する状態を示す縦断面図である。
【図７】本発明１、２又は３の高粘性液状物の濾過方法を実施するための濾過装置の斜視図である。
【図８】本発明１、２又は３の高粘性液状物の濾過方法を実施するための濾過装置の機構を示す部分縦断面側面図である。
【図９】本発明１又は２の高粘性液状物の濾過方法を実施するための濾過装置の機構を示す側面図である。
【図１０】実施例１において濾過を実施した場合の被処理物の通過率と時間との関係を示す線図である。
【図１１】実施例２及び比較例１において濾過を実施した場合の被処理物の通過率と時間との関係を示す線図である。
【図１２】実施例３及び比較例２において濾過を実施した場合の被処理物の通過率と時間との関係を示す線図である。
【符号の説明】
【００９７】
１ 高粘性流動体の濾過用アダプタ
２ フィルタ
２ａ 外周面
２ｂ 底面
２ｃ 濾過穴
４ フィルタ
６ 被処理物
１０ 高粘性流動体の濾過用アダプタ
１１ 第１の容器
１１ａ 開口部
１２ 第２の容器
１２ａ 開口部
２０ 高粘性流動体の濾過用アダプタ
２１ 取付けリング
２２ 筒部材
２２ａ フランジ
２２ｂ 外周面
２２ｃ ねじ部
２３ ナット
２４ フィルタ
３０ 高粘性流動体の濾過装置
３１ 容器ホルダ
３２ アーム
３３ 遊星歯車駆動機構
５４ 高粘性流動体の濾過装置
【図１】
2009082879.tif 000002
【図２】
2009082879.tif 000003
【図３】
2009082879.tif 000004
【図４】
2009082879.tif 000005
【図５】
2009082879.tif 000006
【図６】
2009082879.tif 000007
【図７】
2009082879.tif 000008
【図８】
2009082879.tif 000009
【図９】
2009082879.tif 000010
【図１０】
2009082879.tif 000011
【図１１】
2009082879.tif 000012
【図１２】
2009082879.tif 000013